(57)【要約】【課題】ベルトの表面の摩擦力が低下しても、ベルトを交換することなく摩擦力を容易に回復可能な紙幣搬送ベルト及びその搬送力維持方法を提供する。【解決手段】紙幣取込口（２）から取り込まれる紙幣を搬送するための紙幣搬送ベルトの搬送力維持方法であって、紙幣搬送ベルト（４、４）を内包するケース（１）の開閉蓋（３）を開け紙幣搬送ベルトを露出する工程と、紙幣搬送ベルトの外表面が摩耗していると判断した場合に、あるいは所定の期間毎に、外表面に接着剤具（８）によりアクリル樹脂を主成分とする接着剤を塗布する工程とを備えることを特徴とする。【選択図】  図１
2005041599.tif 000002
【特許請求の範囲】
【請求項１】
紙幣取込口から取り込まれる紙幣を搬送するための紙幣搬送ベルトであって、
紙幣が載置される外表面に接着剤具により塗布されたアクリル樹脂を主成分とする接着剤層を有する
ことを特徴とする紙幣搬送ベルト。
【請求項２】
前記接着剤具はペン型形状を有する
ことを特徴とする請求項１に記載の紙幣搬送ベルト。
【請求項３】
紙幣取込口から取り込まれる紙幣を搬送するための紙幣搬送ベルトの搬送力維持方法であって、
前記紙幣搬送ベルトを内包するケースの開閉蓋を開け前記紙幣搬送ベルトを露出する工程と、
前記紙幣搬送ベルトの外表面が摩耗していると判断した場合に、あるいは所定の期間毎に、前記外表面に接着剤具によりアクリル樹脂を主成分とする接着剤を塗布する工程と
を備えることを特徴とする紙幣搬送ベルトの搬送力維持方法。
【請求項４】
前記接着剤具はペン型形状を有する
ことを特徴とする請求項３に記載の紙幣搬送ベルトの搬送力維持方法。
【請求項５】
前記紙幣搬送ベルトは間隔をおいて並列された一対の単位ベルトからなり、前記接着剤具は前記間隔をおいて一体的に並列した２連のペン型接着剤具である
ことを特徴とする請求項３に記載の紙幣搬送ベルトの搬送力維持方法。
【請求項６】
前記紙幣搬送ベルトは間隔をおいて並列された一対の単位ベルトからなり、前記接着剤具は前記間隔をおいて一体的に並列した位置に２個の注入口を有するシート型接着剤具である
ことを特徴とする請求項３に記載の紙幣搬送ベルトの搬送力維持方法。
【請求項７】
前記アクリル樹脂の含量が４０〜６０％である
ことを特徴とする請求項３に記載の紙幣搬送ベルトの搬送力維持方法。
【発明の詳細な説明】
【０００１】
【発明の属する技術分野】
本発明は比較的軽量な物品を搬送するための紙幣搬送ベルト及びその搬送力維持方法ベルトに関し、特に、両替機、自動販売機等に用いられる紙幣の識別機（ビルバリデータ）の紙幣をベルトの表面の摩擦力によって搬送する紙幣搬送ベルト及びその搬送力維持方法に関する。
【０００２】
【従来の技術】
今日、人件費を節約することができる他に営業時間も昼間に限定されることがないため、自動販売機がいたるところに普及しており、ジュース、雑誌、切符等の色々なものが自動販売機によって購入できるようになっている。自動販売機では、紙幣の使用が可能になったタイプ、すなわち、紙幣識別装置（ビルバリデータ）を付属したタイプが普及している。
【０００３】
従来、この種の自動販売機の内部構造において、紙幣の搬送はローラーを備えた機構が使用されてきたが、搬送の途中で紙幣などの搬送物がローラーに巻きつくなどの問題もあり、搬送の確実さを向上させるために、最近では、ベルト搬送機構を使用するものが多くなってきている。
【０００４】
このベルト搬送機構を用いる方式では、ベルトの摩擦力を持続させるためにいろいろな工夫が提案されており、例えば、搬送面にセラミック等の粒子を突出させて凹凸面とする方法（特開２０００−１９１１７６号公報）、ベルト表面に砥粒材の粒子を突出して配置させる方法（特開２０００−１９１１２０号公報）、搬送面に綱目パターンを設ける方法（特開２０００−２４７４７７号公報）等がある。
【０００５】
【特許文献１】
特開２０００−１９１１７６号公報
【特許文献２】
特開２０００−１９１１２０号公報
【特許文献３】
特開２０００−２４７４７７号公報
【０００６】
【発明が解決しようとする課題】
このように、ベルトの表面加工にいろいろ工夫を凝らすことによって、紙幣搬送の摩擦力を持続する方法が考えられてきた。しかしながら、いずれの方法においても、ベルト表面が摩耗しざらつきがなくなり摩擦力が低下してしまうと、ベルトの交換を余儀なくされるのが常であった。
【０００７】
また、図５に示すようなグリップアップシート２０を用いて、紙幣搬送べルト２２、２２を回転させながら、ベルト表面をヤスリ部２０、２０で削り、布製クリーニング部２１、２１でクリーニングを行う方法も広く行われてきた。しかし、作業がめんどうな割りには、有効な効果が得られていのが現状である。
【０００８】
そこで、本発明は、上記従来技術の有する問題を解消し、ベルトの表面の摩擦力が低下しても、ベルトを交換することなく摩擦力を容易に回復可能な紙幣搬送ベルト及びその搬送力維持方法を提供するものである。
【０００９】
【課題を解決するための手段】
上記目的を達成するために、本発明者は、鋭意試験を重ねた結果、アクリル樹脂を主成分とする接着剤を紙幣搬送ベルトに塗布することによって、紙幣の搬送力の持続できることを見出したのである。
【００１０】
本発明の紙幣搬送ベルトは、紙幣取込口から取り込まれる紙幣を搬送するための紙幣搬送ベルトであって、紙幣が載置される外表面に接着剤具により塗布されたアクリル樹脂を主成分とする接着剤層を有することを特徴とする。また、前記接着剤具はペン型形状を有することを特徴とする。
【００１１】
本発明の紙幣搬送ベルトの搬送力維持方法は、紙幣取込口から取り込まれる紙幣を搬送するための紙幣搬送ベルトの搬送力維持方法であって、前記紙幣搬送ベルトを内包するケースの開閉蓋を開け前記紙幣搬送ベルトを露出する工程と、前記紙幣搬送ベルトの外表面が摩耗していると判断した場合に、あるいは所定の期間毎に、前記外表面に接着剤具によりアクリル樹脂を主成分とする接着剤を塗布する工程とを備えることを特徴とする。
【００１２】
また、前記接着剤具はペン型形状を有することを特徴とする。
【００１３】
また、前記紙幣搬送ベルトは間隔をおいて並列された一対の単位ベルトからなり、前記接着剤具は前記間隔をおいて一体的に並列した２連のペン型接着剤具であることを特徴とする。
【００１４】
また、前記紙幣搬送ベルトは間隔をおいて並列された一対の単位ベルトからなり、前記接着剤具は前記間隔をおいて一体的に並列した位置に２個の注入口を有するシート型接着剤具であることを特徴とする。
【００１５】
また、前記アクリル樹脂の含量が４０〜６０％であることを特徴とする。
【００１６】
上述の発明において、アクリル樹脂を主成分とする接着剤が搬送ベルトの外表面に塗布されると、搬送ベルトの表面に適度の表面粗さが形成され、紙幣との摩擦力を回復させることができる。
【００１７】
【発明の実施の形態】
以下に、図面を参照して、本発明の実施の形態について説明する。
図１は両替機や自動販売機等に使用される紙幣識別装置の概略側面図であり、図１は紙幣識別装置の斜視図である。
【００１８】
紙幣識別装置は本体ケース１を有し、本体ケース１の側部には紙幣取込口２と開閉蓋３が形成されている。本体ケース１内には、紙幣取込口２から挿入された紙幣１０を搬送するための一対の搬送ベルト４，４が設けられている。一対の搬送ベルト４，４は、ゴム材からなり、各々が例えば１０ｍｍ程度の幅を有し、紙幣の幅より少な目の間隔をおいて互いに並列されている。搬送ベルト４，４は、開閉蓋３の裏面に配設された１対の搬送ローラ６によって案内されるとともに、本体ケース１内の駆動ローラ７，７によって搬送駆動される。
【００１９】
開閉蓋３を開けると搬送ベルト４，４の外表面が露出するようになっている。紙幣識別装置を保守管理するオペレータは、１本のペン型の接着剤具８を携帯している。接着剤具８にはアクリル樹脂を主成分とする接着剤が充填されている。オペレータは、開閉蓋３を開け、定期的にあるいは紙幣が円滑に挿入搬送されない等のクレームが提起されたときに、１本のペン型の接着剤具８によってアクリル樹脂を主成分とする接着剤を搬送ベルト４，４の各々の外表面に塗布する。
【００２０】
この塗布方法は、きわめて簡単であり、例えば、搬送ベルトを回転させた状態で、ペン型の接着剤の先端をベルトにあてがって塗布するだけである。２回転分程度の塗布を行い、搬送ベルトの動作を止め３分間程度自然乾燥させれば、使用可能状態となる。一度このような、接着剤の塗布を行ってやると、接着剤塗布後１年程度、摩擦力を持続させることが可能となる。
【００２１】
このように、アクリル樹脂を主成分とする接着剤を搬送ベルト４，４の外表面に塗布することにより、搬送ベルト４，４の外表面には好適な摩擦面が形成され、紙幣の確実な搬送が可能になる。
【００２２】
次に、図３及び図４を参照して、接着剤具８の他の実施例について説明する。図３に示す接着剤具８は、搬送ベルト４，４の間隔に対応する間隔をおいて２本のペン型アクリル系接着剤具８ａ、８ｂを結合した２連式接着剤具である。図３に示す接着剤具８によれば、オペレータは一対の搬送ベルト４，４を同時に効率的に接着剤を塗布することができる。
【００２３】
図４に示す接着剤具８は、搬送ベルト４，４の間隔に対応する間隔をおいて２個のアクリル系接着剤吐出口８ｃ、８ｄを有するシート型接着剤具である。図４に示す接着剤具８によれば、オペレータは一対の搬送ベルト４，４を同時に効率的に接着剤を塗布することができる。
【００２４】
接着剤具８の外形は、上述したように、例えば、ペン型、２連のペン型、シート型であることが適当である。また、アクリル樹脂の含量が、４０〜６０％である接着剤が適当であることを見出した。アクリル樹脂の含量が４０％よりも小さい場合には、搬送ベルト４，４に表面に形成される表面粗さが小さすぎて効果がなく、アクリル樹脂の含量が６０％よりも大きい場合には、接着剤の粘性が強すぎて搬送ベルト４，４に表面に均一な接着剤による膜を形成することができない。
【００２５】
【実施例】
以下に、アクリル樹脂を主成分とする接着剤を紙幣搬送ベルト４、４に塗布し、紙幣の搬送力を持続させる方法の具体例を示すが、本発明は、以下の実施例に限定されるものではない。
【００２６】
１．使用する接着剤
▲１▼接着剤の種類  アクリル樹脂系接着剤（ペンタイプ）
▲２▼成分          アクリル樹脂  ５１％  水  ４９％
▲３▼塗布量        紙幣識別装置１機当たり  ０．０４５ｇ
【００２７】
２．塗布方法
搬送ベルト４、４用の駆動ローラ７、７をモーターで回転させ、搬送ベルト４、４を動作させたまま接着剤具８によりアクリル系接着剤をベルト４、４の外表面に２度塗りする。次に、搬送ベルト４、４の動作を止め、接着剤を３分間自然乾燥させる。
【００２８】
３．搬送力の測定結果
紙幣の搬送力は最低３００ｇ以上必要である。使用環境は、常温（２０〜３０℃）、高温（７５℃）、低温（−２０℃）である。搬送力の検出はデジタルテンションゲージを用いておこなった。搬送ベルト４，４の表面に紙幣を載置し、紙幣の搬送方向の上流側の端部にデジタルテンションゲージを取り付け、搬送ベルト４，４の表面からの紙幣が滑り出すときにデジタルテンションゲージに負荷された力を測定した。結果を表１に示す。表１には、一つの搬送ベルト４、４について（ベルト１、ベルト２とする）測定した結果が示されている。比較のために、搬送ベルト４，４の新品時における搬送力も併記されている。
【００２９】
【表１】
2005041599.tif 000003
【００３０】
表１に示すように、接着剤の塗布前において３００ｇより少ない搬送力しか有しないものが、接着剤を塗布することにより、少なくとも常温（２０〜３０℃）及び低温（−２０℃）においては、アクリル樹脂系接着剤を塗布することにより３００ｇ以上の搬送力の得ることができた。なお、高温（７５℃）においては、搬送力の著しい改善は見られなかった。従って、本発明によれば、７５℃以上の高温を除けば、少なくも常温（２０〜３０℃）及び低温（−２０℃）においては、搬送ベルト４，４の搬送力の改善を図ることが可能であることが確認された。また、アクリル樹脂の含量が４０〜６０％である接着剤が適当であることを見出された。
【００３１】
また、フィールドで実施調査した評価結果によれば、以下のことが確認することができた。
ｉ．接着剤塗布後６ケ月経過した場合に、ベルトにわずかなごみが付着しているが搬送力に低下は無いことが確認された。
ｉｉ．接着剤塗布後１年経過した場合に、若干搬送力は落ちたが、動作的には問題なく、ゴムベルトの劣化は見受けられないことが確認され、また、再度接着剤を塗布することにより、搬送力を持続できることが確認された。再度塗布する場合は、アルコールでゴムベルトを清掃の上記のことを実施すればよい。
【００３２】
また、アクリル樹脂系接着剤以外の接着剤、例えば、ポリウレタン樹脂系接着剤、エポキシ樹脂系接着剤では、これらの接着剤をゴム材からなる搬送ベルト４，４に塗布しても紙幣搬送ベルトの搬送力持続の効果は見られなかった。
【００３３】
以上の、実施例によれば、搬送に必要な摩擦力の劣化した搬送ベルト４，４に対し、アクリル樹脂系接着剤を塗布することにより必要な搬送力を回復させることができる。
【００３４】
【発明の効果】
以上説明したように、本発明の構成によれば、ベルトの表面の摩擦力が低下しても、ベルトを交換することなく摩擦力を容易に回復可能な紙幣搬送ベルト及びその搬送力維持方法を提供することができる。
【図面の簡単な説明】
【図１】紙幣識別装置における紙幣搬送ベルトにペン型アクリル系接着剤を塗布する態様を示す側面図。
【図２】紙幣識別装置の紙幣搬送ベルトにペン型アクリル系接着剤を塗布する態様を示す斜視図である。
【図３】２本の搬送ベルトに対して、一度の動作によって接着剤を塗布できる２連ペン型アクリル系接着剤具を示す図。
【図４】２本の搬送ベルトに対して、一度の動作によって接着剤を塗布できるシート型アクリル系接着剤具を示す図。
【図５】従来の保守方法を示す図。
【符号の説明】
１  本体ケース
２  紙幣取込口
３  開閉蓋
４  搬送ベルト
７  駆動ローラ
８  接着剤具
【図１】
2005041599.tif 000004
【図２】
2005041599.tif 000005
【図３】
2005041599.tif 000006
【図４】
2005041599.tif 000007
【図５】
2005041599.tif 000008